(57)【要約】【課題】  床パンＰの立ち上がり部２や立ち上がり部２近傍の略水平部１に水が付着しても水滴として残り難く汚れが付き難い床パンＰを提供する。【解決手段】  洗い場となる略水平部１の周縁に立ち上がり部２を立設した床パンＰにおいて、前記立ち上がり部２近傍の略水平部１に親水性を持たせるための微細凹凸３を設けた。【選択図】        図１
2007262761.tif 000002
【特許請求の範囲】
【請求項１】
洗い場となる略水平部の周縁に立ち上がり部を立設した床パンにおいて、前記立ち上がり部近傍の略水平部に親水性を持たせるための微細凹凸を設けて成ることを特徴とする床パン。
【請求項２】
微細凹凸を立ち上がり部の側面に設けて成ることを特徴とする請求項１記載の床パン。
【発明の詳細な説明】
【技術分野】
【０００１】
本発明は浴室に設置される床パンに関するものである。
【背景技術】
【０００２】
従来より、浴室の床スラブ上に床パンを設置して入浴スペースを形成している（例えば特許文献１参照）。床パンは、その約１／３〜半分が浴槽設置部となると共に、残りの部分が洗い場となるものである。
【０００３】
図３に示すように、床パンＰの表面、特に、洗い場となる上面には、排水性を確保するための親水性処理を施している。この親水性の処理は、具体的には表面に微細凹凸３を設けることで、この微細凹凸３に付着した水の広がり面積が増大して膜状となり、付着した水が小さな水滴として独立して残ってしまって水垢等の汚れが付着するのを防止するものである。
【０００４】
しかしながら、従来の床パンＰにおいては、このような親水性を確保するための微細凹凸３は製造上の理由、例えば金型の製造のし易さや、意匠の観点からの制約、といった諸理由により、床パンＰの上面の略水平部１にしか親水性処理を施しておらず、床パンＰの略水平部１の周縁に立設した立ち上がり部２に微細凹凸３を設けていないのは勿論のこと、略水平部１の立ち上がり部２近傍の部分にも微細凹凸３を設けていなかった。このため、床パンＰの立ち上がり部２やこの立ち上がり部２近傍の略水平部１に水が付着すると水滴として残ってしまい、この水滴が乾くと汚れが付いてしまうものであった。
【特許文献１】特開２００４−２５１０９５号公報
【発明の開示】
【発明が解決しようとする課題】
【０００５】
本発明は上記従来の問題点に鑑みて発明したものであり、その目的とするところは、床パンの立ち上がり部や立ち上がり部近傍の略水平部に水が付着しても水滴として残り難く汚れが付き難い床パンを提供することを課題とするものである。
【課題を解決するための手段】
【０００６】
上記課題を解決するために請求項１に係る床パンにあっては、洗い場となる略水平部１の周縁に立ち上がり部２を立設した床パンＰにおいて、前記立ち上がり部２近傍の略水平部１に親水性を持たせるための微細凹凸３を設けて成ることを特徴とするものである。
【０００７】
このような構成とすることで、床パンＰの略水平部１の周縁に立設した立ち上がり部２近傍に水が付着しても水滴として残り難く、汚れが付き難くなるものである。
【０００８】
また請求項２に係る床パンにあっては、請求項１において、微細凹凸３を立ち上がり部２の側面に設けて成ることを特徴とするものである。
【０００９】
このような構成とすることで、床パンＰの略水平部１の周縁に立設した立ち上がり部２に水が付着しても水滴として残り難く、汚れが付き難くなるものである。
【発明の効果】
【００１０】
本発明にあっては、床パン上面の内部の略水平部分だけでなく周縁の立ち上がり部や立ち上がり部近傍に水が付着しても水滴として残り難く、汚れが付き難くすることができ、汚れが若干残ったとしても清掃により除去し易いものである。
【発明を実施するための最良の形態】
【００１１】
以下、本発明の実施形態について図面に基づいて説明する。床パンＰは、浴室の床スラブ上に床パンＰを設置して入浴スペースを形成するもので、上面の一部が浴槽設置部となると共に残りの部分が洗い場となる。そして、洗い場となる部分（後述する略水平部１１の周縁には立ち上がり部２が立設してある。立ち上がり部２の上端部にはＬ字状をしたパネル載置部４が形成してあり、このパネル載置部４に壁パネルＷＰが載置される。
【００１２】
床パンＰは、ＦＲＰをはじめ種々の合成樹脂で成形されるが、親水性の低い合成樹脂である場合が多い。親水性が低い材料とは、鏡面すなわち平坦な表面における水の接触角が６０度以上（例えば架飾繊維質シートでは６０度〜７５度、ＦＲＰでは７５度〜９０度）と大きい材料のことである。親水性が低いと、床パンＰの表面を平坦面としてあると残った水が広がらずに盛り上がって、独立して残ってしまい、乾燥した時に汚れが付いてしまって好ましくない。そこで、床パンＰの表面に親水性を持たせるための微細凹凸３を設けるのであるが、本発明においては図１のように洗い場の略水平部１の中間部分だけでなく略水平部１の周縁の立ち上がり部２近傍、又は立ち上がり部２の側面にまで１μｍ〜１００μｍの微細凹凸３を設けるものである。なお、図中の符号５は排水溝５ａ形成用の凸部で、幅数ｍｍ〜数ｃｍである。
【００１３】
床パンＰの立ち上がり部２の側面は、略水平部１の周縁の上面と略直角を為すように立設されるか、略水平部１から立ち上がり部２の側面にかけて連続的につながる曲面部でつながっているか、いずれでもよいが、微細凹凸３を前記立ち上がり部２が立ち上がっているコーナーまで、あるいは曲面部にまで（図１（ｂ）参照）、あるいは更に立ち上がり部２の側面にまで（図１（ｃ）参照）連続的に設けるものである。
【００１４】
微細凹凸３は、床パンＰを成形する金型に微細凹凸３の形状（すなわち成形品の凹凸を反転させた凹凸の形状）を形成しておき、上記合成樹脂にて成形することで成形品の床パンＰに形成される。ここで、金型はその抜き方向が床パンＰの略水平部１と直交する方向に引き離して抜かれるが、抜き易くするために立ち上がり部２には抜き勾配が形成してあるため、立ち上がり部２に微細凹凸３を設けてあっても、金型を無理抜きすることができる。
【００１５】
また、立ち上がり部２の側面に微細凹凸３を設ける場合、図２のように立ち上がり部２を床パンＰの略水平部１と別部材で形成し、それぞれ別に成形した後で取り付けて床パンＰを構成するようにしてもよく、これによって金型を抜く際の問題が解決される。
【００１６】
以下、微細凹凸３が床パンＰの表面の親水性に与える影響について説明する。
＜実施例１＞  
床パンＰは、架飾繊維質シートのように、鏡面における水の接触角が６０度以上７５度未満の親水性が低い材料で形成される。
【００１７】
材料の表面に形成する微細凹凸３は、大突起と小突起とからなる。
【００１８】
大突起は、表面粗さ計による表面粗さ計測にて平均間隔Ｓｍが２０乃至１００μｍとなると共に十点平均粗さＲｚが８乃至７０μｍとなるように形成したもので、この大突起上に小突起が形成される
小突起は、表面の５μｍ四方を測定範囲とし、この測定範囲の任意の１０箇所をレーザー顕微鏡で、横縦（Ｘ−Ｙ）方向の分解能を０．０４４μｍとすると共に高さ（Ｚ）方向の分解能を０．０１μｍになるように設定して測定した時に、測定箇所の平面視の面積Ｓ１に対する表面積Ｓ２の比Ｒ（＝Ｓ２／Ｓ１）が１．２≦Ｒ≦２．５となるように形成したものである。レーザー顕微鏡による計測においては、横縦（Ｘ−Ｙ）の計測位置における高さ（Ｚ）が計測されるもので、この二次元の計測範囲における高さを計測することで表面積Ｓ２が計算される。なお平面視の面積Ｓ１は高さ一定とした時の表面積に等しい。本実施例ではＲ＝１．２３であった。
【００１９】
次に、この実施例について排水性および乾燥性、防汚性の評価を行った。
【００２０】
排水性および乾燥性は三段階評価とし、表面を勾配１／５０となるように傾けてシャワーで散水後、６０秒後の排水状態について目視したところ、表面が水膜状となっており、良好であった。
【００２１】
また、防汚性については、カーボンブラック試験を行ったところカーボン回復率が９０％以上でなり、良好であった。
【００２２】
以上より、排水性および乾燥性が良く、防汚性に優れていることが分かる。
＜実施例２＞
床パンＰは、ＦＲＰのように、鏡面における水の接触角が７５度以上９０度未満の親水性が低い材料で形成される。
【００２３】
材料の表面に形成する微細突起は、大突起および小突起からなる。
【００２４】
大突起は、表面粗さ計による表面粗さ計測にて平均間隔Ｓｍが２０乃至１００μｍとなると共に十点平均粗さＲｚが８乃至７０μｍとなるように形成したもので、この大突起上に小突起が形成される。
【００２５】
小突起は、表面の５μｍ四方を測定範囲とし、この測定範囲の任意の１０箇所をレーザー顕微鏡で、横縦（Ｘ−Ｙ）方向の分解能を０．０４４μｍとすると共に高さ（Ｚ）方向の分解能を０．０１μｍになるように設定して測定した時に、測定箇所の平面視の面積Ｓ１に対する表面積Ｓ２の比Ｒ（＝Ｓ２／Ｓ１）が１．６≦Ｒ≦２．４となるように形成したものである。レーザー顕微鏡による計測は実施例１と同様である。本実施例では、表面積の比ＲがＡ：Ｒ＝１．７６、Ｂ：Ｒ＝１．９９、Ｃ：Ｒ＝２．３１の三通りの床パンＰについて実験を行った。
【００２６】
排水性および乾燥性は三段階評価とし、表面を勾配１／５０となるように傾けてシャワーで散水後、６０秒後の排水状態について目視により判断した。そして、表面が広い水膜状又は水膜状になれば良好、水膜と水滴の混在もしくは水滴が多数残った状態は不良とした。なお、シャワーの散水条件は、流量を１５Ｌ／分、距離を３０ｃｍ、スピードを７ｃｍ／秒とした。
【００２７】
その結果、ＡとＢは水膜状で良好であり、Ｃは広い水膜状で非常に良好であった。
【００２８】
また、防汚性については、カーボンブラック試験を実施し、カーボン回復率９０％以上であれば非常に良好、８５〜９０％であれば良好、８５％未満であれば不良とした。
【００２９】
その結果、ＡとＢについては９２％で非常に良好、Ｃについては８６％で良好であった。
【００３０】
以上より、排水性および乾燥性が良く、防汚性に優れていることが分かる。
【図面の簡単な説明】
【００３１】
【図１】本発明の一実施形態の床パンであり、（ａ）は洗い場の周縁のコーナーの拡大図であり、（ｂ）は（ａ）の一例の要部拡大図であり、（ｃ）は（ａ）の他例の要部拡大図である。
【図２】他の実施形態の床パンであり、（ａ）は洗い場の周縁のコーナーの拡大図であり、（ｂ）（ｃ）は組み立てを説明する要部拡大図である。
【図３】従来の床パンであり、（ａ）は洗い場の周縁のコーナーの拡大図であり、（ｂ）は（ａ）の要部拡大図である。
【符号の説明】
【００３２】
１  略水平部
２  立ち上がり部
３  微細凹凸
４  パネル載置部
５  凸部
５ａ  排水溝
Ｐ  床パン
ＷＰ  壁パネル
【図１】
2007262761.tif 000003
【図２】
2007262761.tif 000004
【図３】
2007262761.tif 000005